(57)【要約】【課題】  基本構成を変更することなく、従来のインクジェット記録装置で、消費電力の効率的な利用のために自己発電を行う、低消費電力のインクジェット記録装置を提供する。【解決手段】  ガイドシャフトの両端に磁界を持つ物質を配置し、キャリッジユニットのガイドシャフトとの接続部にコイルを巻くことで、主走査を行うたびに発電をすることができる。【選択図】  図１
2006116898.tif 000002
【特許請求の範囲】
【請求項１】
複数色の各々に対応した各色ノズル列を含む記録部を主走査方向に走査させながら前記記録部より記録媒体に対してインクを吐出し、前記記録媒体に対して記録を行うインクジェット記録装置であって、前記記録部の主走査方向への走査によって誘導電流を発生させて発電を行う発電部を備え、装置の電源として、外部電源と前記発電部からの誘導電流とを利用することを特徴とするインクジェット記録装置。
【請求項２】
前記記録部は記録媒体上を移動するキャリッジユニットに搭載され、前記キャリッジユニットの主走査方向への走査はガイドシャフトによって保持され、前記ガイドシャフトの両端には磁界を持つ物質（磁石など）を配置し、前記キャリッジユニットには前記ガイドシャフトとの接続部に、前記ガイドシャフトを包むようにコイルが接続されており、キャリッジユニットの動きに合わせてコイルも動き、前記キャリッジユニットがガイドシャフト端点へ近づくことにより誘導電流を生じさせることで発電を行うとともに、発電による負荷をキャリッジユニットの減速及び停止運動に利用することを特徴とする、請求項１に記載のインクジェット記録装置。
【請求項３】
装置の電源として、外部電源と、前記誘導電流とを利用することを特徴とする請求項１〜２に記載のインクジェット記録装置。
【発明の詳細な説明】
【技術分野】
【０００１】
本発明は、インクを用いてカラー記録を行うインクジェット記録装置に関し、特にその消費電力の削減を図るために、動作によって自己発電を行うインクジェット記録装置に関する。
【背景技術】
【０００２】
インクジェット記録装置は、比較的小型で低騒音であり、かつ安価にカラー記録を行うことができるなどの理由により、急速に普及している。さらに近年においてはPCを介さずにデジタルカメラから直接印刷を行うなど、インクジェット記録装置の高画質化、高速化、高機能化が顕著である。しかし、消費電力について着目すると、ノズル数の増加、高速化、CPUの高速化により、記録装置本体の消費電力は上昇している。
【０００３】
従来、インクを熱による気泡や機械的な動作によって吐出し、印刷を行うインクジェット記録装置では、記録ヘッドを記録媒体上で主走査方向に移動させ（以下これを「主走査」ともいう）、この走査中にインクを吐出して行う記録動作と、前記主走査方向に対し垂直方向に記録媒体を一定量だけ搬送する(以下これを「副走査」ともいう)紙送り動作とを交互に繰り返すことにより、記録媒体全体に記録を行うものが一般的である。主走査するにあたって、記録ヘッドはキャリッジユニットと呼ばれる装置に組み込まれ、キャリッジユニットは主走査方向への向きを保持するガイドシャフトに沿って走査を行う。
【０００４】
図２は従来のインクジェット記録装置を示す図である。この図は１のプリンタユニットと、２の記録媒体から構成される。図において、３は記録ヘッド、４はキャリッジユニット、５はキャリッジユニット４を主走査方向に走査させるためのキャリッジモーター、６はキャリッジユニット４の動きを主走査方向に保持するためのガイドシャフト、７は記録媒体２を副走査方向に送り出すLFモーターである。
【０００５】
記録媒体２に印刷を行う場合、LFモーター７によって記録媒体２の印刷開始位置をキャリッジユニット４の下まで移動させる。次に、キャリッジモーター５によってキャリッジユニット４を主走査方向に反復移動させながら、記録ヘッド３からインクを吐出させる。一行の印刷が終わったらLFモータ７によって記録媒体２を副走査方向に移動させ、再びキャリッジユニット４を主走査方向に反復移動させながら印刷を繰り返す。キャリッジユニット４をキャリッジモーター５で動かす際、キャリッジユニット４の動きを固定するためにガイドシャフト６を用いる。キャリッジユニット４はガイドシャフト６を包み込むようになっており、ガイドシャフト６に沿って移動する。（例えば特許文献１参照）
【特許文献１】特開2000-203118号公報
【発明の開示】
【発明が解決しようとする課題】
【０００６】
従来の構成では印刷を行う際の消費電力にはキャリッジモーターを動かす電力とLFモーターを動かす電力、インクの吐出を行うための電力が大部分を占め、インクジェット記録装置の消費電力を引き上げる要因となっていた。また、近年のインクジェット記録装置では印刷物の表現力を引き上げるために記録ヘッドのノズル数やインクの種類を増やす傾向にあるので、キャリッジユニット全体の重量は増加傾向にある。また、印刷速度も高速化しているので、キャリッジモーターへの負荷が大きくなり、モーターを動かす電力も増加し、全体の消費電力が増大してしまっている。
【０００７】
そこで本発明はこのような問題を解決するもので、その目的とするところはキャリッジユニットなどの駆動系に消費される電力を回収及び還元し、インクジェット記録装置の電源として利用する消費電力を効率的に利用するプリンタを提供するものである。
【課題を解決するための手段】
【０００８】
本発明のプリンタ走査装置は、キャリッジユニット、このキャリッジユニットを保持するガイドシャフト、ガイドシャフト両端に配置された磁界を持つ物質（磁石など）より成り、キャリッジユニットとガイドシャフトの接続部にコイルを配置することで、キャリッジユニットの主走査方向への走査によってガイドシャフト端点の磁界を持つ物質へコイルが近づく毎にファラデーの効果による発電を行うことを特徴とする。
【発明の効果】
【０００９】
本発明によれば、従来のインクジェット記録装置において行われていた機構的な構成をそのまま利用して、装置内部で発電が行えるので、これまでの構成を変更することなくインクジェット記録装置の消費電力を効率的に使用させることができる。
【発明を実施するための最良の形態】
【００１０】
（第一の実施の形態）
図１は、本発明の実施の形態であるインクジェット記録装置の記録部の要部を装置の斜め上側から表した斜視図、図３は記録部の模式的透視図である。
【００１１】
図１において、本実施形態の記録装置は、記録ヘッド３と、記録ヘッド３を搭載するキャリッジユニット４と、キャリッジユニット４を主走査方向に走査させるためのキャリッジモーター５と、キャリッジユニット４の動きを主走査方向に保持するためのガイドシャフト６と、紙やフィルムなどの記録媒体２を副走査方向に送り出すＬＦモーター７と、ガイドシャフト６との接続点においてキャリッジユニット４に搭載され、ガイドシャフト６を包むようなコイル８と、ガイドシャフト６の両端に磁界を持つ物質（磁石など）９と、コイル８に発生する誘導電流をインクジェット記録装置の電源として利用できるようにするＡＣ−ＤＣコンバータ10とを備える。
【００１２】
磁界を持つ物質（磁石など）９はガイドシャフトの両端に配置する。次に、キャリッジユニット４におけるガイドシャフト６との接続部にガイドシャフト６を覆うようにコイル８を巻く事で、印刷時におけるキャリッジユニット４の主走査方向への動作とともにコイル８がガイドシャフト６上を移動し、ガイドシャフト６の端点で減速を行うとともに、コイル８にファラデーの法則による誘導電流が発生する。キャリッジユニット４は主走査方向への往復運動をするためにガイドシャフト６の端点では減速及び停止しなければならないので、ファラデーの法則によリ発生するモーターへの負荷を前記減速及び停止のための力に使用することが出来る。
【００１３】
ファラデーの法則とは、閉じた電気回路（導体コイルなど）と鎖交する磁束が変化すると、電気回路中には変化した磁束を打ち消す向きの磁界が発生するように、誘導電流が流れるというものです。図４にファラデーの法則についての説明図を示す。図４において、コイル１０に対して磁石１１による磁束１２が鎖交している状態で、磁石１１を１３ａの方向に移動させると、コイル１０中の磁束は増加しますが、このような時にはコイル１０に流れる誘導電流は磁束の向きと反対の磁界を作るように誘起されるので、誘導電流は１４ａの向きに流れます。逆に、磁石１１を１３ｂの方向に移動させると、コイル１０中の磁束は減少し、コイル１０に流れる誘導電流は１４ｂの向きに流れます。コイル１０に流れる誘導電流を大きくするには磁石の移動速度を早くするか、コイルの面積を大きくするか、発生する磁界の大きい磁石を使用することが必要です。
【００１４】
インクジェット記録装置において、印刷時にキャリッジユニット４は主走査方向に対する往復運動を行っていた。ファラデーの法則においては磁石１１を固定し、コイル１０を動かすことによっても、磁石１１を動かす場合と同様の誘導電流が発生するので、本発明のようにガイドシャフト６の両端に磁界を持つ物質（磁石など）１０を使用し、キャリッジユニット４とともにコイル８を往復運動させることでコイル８に誘導電流が発生する。誘導電流の流れる向きはキャリッジユニット４の移動方向によって変わる交流電流であるので、AC−DCコンバータ９を介してプリンタ装置の電源部分に供給することで、プリンタ装置そのものの消費電力はそのままに、電力を効率的に利用することで、外部電源からの消費電力を低減させることができる。
【００１５】
インクジェット記録装置において、ガイドシャフト６の両端にコイルを巻き、キャリッジユニット４のガイドシャフト６との接続部に磁界を持つ物質（磁石など）を使用しても、前述と同様の誘導電流が得られることは自明の理である
【図面の簡単な説明】
【００１６】
【図１】本発明の実施例におけるインクジェット記録装置の記録部の要部の斜視図である。
【図２】従来の実施例におけるインクジェット記録装置の記録部の要部である。
【図３】本発明の実施例におけるインクジェット記録装置の記録部の要部の模式的透視図である。
【図４】ファラデーの法則の説明図である。
【符号の説明】
【００１７】
１  プリンタユニット
２  記録媒体
３  記録ヘッド
４  キャリッジユニット
５  キャリッジモーター
６  ガイドシャフト
７  ＬＦモーター
８  コイル
９  磁界を持つ物質（磁石など）
１０  ＡＣ−ＤＣコンバータ
１１  閉じた電気回路（導体コイルなど）
１２  磁石
１３  磁束
１４ａ  磁石の動く向き（コイルに近づく方向）
１４ｂ  磁石の動く向き（コイルから遠ざかる方向）
１５ａ  誘導電流の流れる向き（磁石をコイルに近づけたとき）
１５ｂ  誘導電流の流れる向き（磁石をコイルから遠ざけたとき）
【図１】
2006116898.tif 000003
【図２】
2006116898.tif 000004
【図３】
2006116898.tif 000005
【図４】
2006116898.tif 000006